(57)【要約】【課題】符号錠によってクレセント片の不正な開放操作を防止することができようにするとともに、その符号錠を解錠するための符号の組み合わせを変更することが可能なクレセント錠を提供すること。【解決手段】符号錠５のリング５１を、外周面に符号を付し、内周側に嵌合部を備えた外リング５１Ａと、外リング５１Ａの嵌合部５２ａと嵌合する嵌合部５２ｂ及びロック部材４のロック片４７との係合部としてのキー溝５１ａを備えた内リング５１Ｂとで構成し、外リング５１Ａ及び内リング５１Ｂの嵌合部５２ａ、５２ｂ同士の嵌合状態を維持、解除する嵌合状態制御部材６をレバー２１に設ける。【選択図】図３
2015108215.tif 000002
【特許請求の範囲】
【請求項１】
屋外側のサッシ枠に掛止金具を設けるとともに、屋内側のサッシ枠にクレセント片を回動可能に設け、クレセント片をその回動により掛止金具に掛止するようにしたクレセント錠のクレセント片を回動可能に支持する支軸部を屋内側サッシ枠に固設し、該支軸部に係合することによりクレセント片の回動を阻止するロック部材をクレセント片のレバーに摺動可能に配設するとともに、該ロック部材に係合しその摺動を選択的に阻止できるようにする符号錠をレバーに設けたクレセント錠において、符号錠のリングを、外周面に符号を付し、内周側に嵌合部を備えた外リングと、該外リングの嵌合部と嵌合する嵌合部及びロック部材との係合部を備えた内リングとで構成し、外リング及び内リングの嵌合部同士の嵌合状態を維持、解除する嵌合状態制御部材をレバーに設けたことを特徴とするクレセント錠。
【請求項２】
前記嵌合状態制御部材が、ピン部材からなり、該ピン部材を抜くことにより、内リングを軸方向に動作可能にするように構成したことを特徴とする請求項１記載のクレセント錠。
【請求項３】
前記ロック部材を、支軸部側に付勢して摺動可能に配設され、該支軸部のクレセント片の掛止位置と解放位置に対応する２箇所に形成されたキー溝に係合するピンと、該ピンに一端が係合し、他端を支軸部側に押圧することによりピンを反支軸部側に移動させるカムと、反支軸部側に付勢して摺動可能に配設され、符号錠が係合するとともに、支軸部側に摺動することによりカムの他端を押圧する操作片とを備えて構成したことを特徴とする請求項１又は２記載のクレセント錠。
【発明の詳細な説明】
【技術分野】
【０００１】
本発明は、クレセント錠に関し、特に、不法者によって窓ガラス等が破られた場合でも、クレセント片の開放操作を防止することができるクレセント錠に関するものである。
【背景技術】
【０００２】
クレセント錠は、主としてアルミサッシのガラス窓やガラス戸に取り付けられており、屋外側のサッシ枠に掛止金具を設けるとともに、屋内側のサッシ枠にクレセント片を回動可能に設け、クレセント片を回動することにより掛止金具に掛止し、ガラス窓やガラス戸を施錠するようにしている。
【０００３】
しかしながら、最近では、不法者がクレセント錠付近のガラスを割って手を室内側に差し入れ、クレセント片を開放操作することにより、ガラス窓やガラス戸が不正に開けられるという問題が生じている。
【０００４】
本件出願人は、上記従来のクレセント錠が有する問題点に鑑み、先に、不法者によって窓ガラス等が破られた場合でも、クレセント片の開放操作を防止することができるクレセント錠を提案した（特許文献１参照。）。
【０００５】
このクレセント錠は、図１〜図２に示すように、屋外側のサッシ枠に掛止金具（図示省略）を設けるとともに、屋内側のサッシ枠にクレセント片２を回動可能に設け、クレセント片２をその回動により掛止金具に掛止するようにしている。
そして、このクレセント錠は、クレセント片２を回動可能に支持する支軸部３を屋内側サッシ枠に固設し、支軸部３に係合することによりクレセント片２の回動を阻止するロック部材４をクレセント片２のレバー２１の内部に摺動可能に配設するとともに、ロック部材４に係合しその摺動を阻止する符号錠５を前記レバー２１に設けている。
【０００６】
掛止金具は、図では省略しているが、例えば、屋外側のサッシ枠に形成した舌片状の通常一般のものからなり、クレセント片２の鍔部（図示省略）が掛合する。
【０００７】
クレセント片２は、屋内側のサッシ枠に、固定台座１を介して、固定台座１に配設した支軸部３によって回動可能かつ非分離状態に枢着（枢着機構は図示省略）されており、側方に張り出した鍔部２３が掛止金具に掛止されるとともに、鍔部を切り欠いた位置に回転することにより掛止金具を解放する。
クレセント片２は、その回動中心となるボス部２２と、ボス部２２から一体に延設された中空のレバー２１とを備えている。
【０００８】
支軸部３は、クレセント片２のボス部２２が回動可能に外嵌する円筒状のものからなり、固定台座１に配設されている。
この支軸部３の外周部には、後述するロック部材４のピン４１が嵌合するスプライン３１が全周にわたって形成されている。
スプライン３１は、クレセント片２が掛止金具に掛止する角度にあればよいが、建付条件によってはこの掛止角度が変わるため、本実施例では支軸部３の全周に設けている。
この場合、ロック部材４のピン４１は支軸部側に付勢されているため、このスプライン３１に自動的に嵌合しようとするが、クレセント片２を回動させるときは、後述する操作片を押し込むことによりピン４１を後退させながらレバー２１を操作するので、ピン４１がスプライン３１に噛み込むことはない。
【０００９】
ロック部材４は、支軸部側に付勢して摺動可能に配設され、支軸部３に係合するピン４１と、ピン４１に一端が係合し、他端を支軸部側に押圧することによりピン４１を反支軸部側に移動させるカム４２と、反支軸部側に付勢して摺動可能に配設され、符号錠５が係合するとともに、支軸部側に摺動することによりカム４２の他端を押圧する操作片４３と、操作片４３とピン４１の間に配設され、操作片４３とピン４１をそれぞれ離反方向に付勢するばね４４とを備えている。
ピン４１は、ボス部２２に設けられた貫通孔を介して支軸部３のスプライン３１に係合するもので、胴部に形成された切欠部４１ａにカム４２の一端が係合している。
カム４２は半月状のものからなり、その円弧部がボス部２２の外面に揺動可能に支持されている。このカム４２は、一端がピン４１の切欠部４１ａに係合するとともに、他端が操作片４３と対向するように配設されている。
操作片４３は、レバー２１内部で外側に偏倚してカム４２の他端と対向する押し片４５と、押し片４５から内側に偏倚してレバー２１の先端部から突出する操作片本体４６と、操作片本体４６からレバー２１内部に折り返されたロック片４７とを一体に備えている。
ロック片４７には、符号錠５が係合するキー４７ａが形成されている。また、操作片本体４６は、レバー２１に固定された規制部材４８によりその摺動範囲が規制されている。
【００１０】
符号錠５は、操作片４３のロック片４７に嵌挿されるとともにレバー２１の外側に一部が突出する複数のリング５１を備え、各リング５１は、ロック片４７のキー４７ａと一致するキー溝５１ａを嵌挿孔の一部に備えている。
なお、各リング５１には、リング５１の回転操作を行うための操作片５２を突設するようにしている。
そして、各リング５１を回転させて符号を揃えることにより、キー溝５１ａをロック片４７のキー４７ａと一致させ、ロック片４７を解放することによって操作片４３を支軸部側に摺動可能に解放する。
【００１１】
また、各リング５１の符号間には、操作片本体４６に形成した突起４６ａと係合する係合溝５１ｂを形成する。
これにより、符号錠５のリング５１を回転操作する際の位置決め（リング５１が所定位置に来たときに回転抵抗が変化する。）と、リング５１の係止を確実に行うことができる。
【００１２】
次に、このクレセント錠の作用を説明する。
図１（ａ）に示すように、クレセント片２が掛止金具に掛止する位置で、支軸部側に付勢されたロック部材４のピン４１が、支軸部３のスプライン３１に嵌合することにより、クレセント片２の回動は阻止されている。
そして、符号錠５のリング５１を符号が揃わない位置に回転させることにより、リング５１が操作片４３の摺動を阻止して、ピン４１の嵌合状態を保持し、これにより、不法者によって窓ガラス等が破られた場合でも、クレセント片２の開放操作を防止することができる。
一方、居住者が符号錠５のリング５１を合わせて操作片４３を解放すると、図１（ｂ）に示すように、操作片４３を支軸部側に押し込むことができ、これにより、操作片４３がカム４２を介してピン４１を引き抜き方向に摺動させ、支軸部３から離脱させる。
このように、操作片４３を押し込んだ状態でレバー２１を操作すると、クレセント片２を回転させることができ、これにより、クレセント片２を掛止金具から離脱させることができる。
【００１３】
このように、このクレセント錠は、符号錠５によりロック部材４を介してクレセント片２をロックすることができ、これにより、不法者によって窓ガラス等が破られた場合でも、クレセント片２の開放操作を防止することができる。
また、居住者が解錠するときは、図１（ｂ）に示すように、符号錠５の符号を合わせることによりロック部材４を解放し、この状態でレバー２１を操作してクレセント片を回転させることにより、クレセント片２を掛止金具から容易に離脱させることができる。
そして、クレセント片２をロックするために符号錠５を用いるようにしているため、不正な解錠を効果的に防止しながら、鍵の紛失等の問題がなく、使用勝手のよいクレセント錠を提供することができる。
【００１４】
この場合、前記ロック部材４を、支軸部側に付勢して摺動可能に配設され、支軸部３に係合するピン４１と、ピン４１に一端が係合し、他端を支軸部側に押圧することによりピン４１を反支軸部側に移動させるカム４２と、反支軸部側に付勢して摺動可能に配設され、符号錠５が係合するとともに、支軸部側に摺動することによりカム４２の他端を押圧する操作片４３とを備えて構成することにより、図１（ｂ）に示すように、符号錠５の符号を合わせて解放した操作片４３を支軸部側に押し込むことによって、カム４２を介してピン４１を支軸部３から離脱させることができ、この状態でレバー２１を操作することにより、クレセント片２を掛止金具から容易に離脱させることができる。
【００１５】
また、各リング５１の符号間に、操作片本体４６に形成した突起４６ａと係合する係合溝５１ｂを形成することにより、符号錠５のリング５１を回転操作する際の位置決め（リング５１が所定位置に来たときに回転抵抗が変化する。）と、リング５１の係止を確実に行うことができる。
【先行技術文献】
【特許文献】
【００１６】
【特許文献１】特開２００６−５２５６７号公報
【発明の概要】
【発明が解決しようとする課題】
【００１７】
ところで、上記従来のクレセント錠は、不法者によって窓ガラス等が破られた場合でも、符号錠５によってクレセント片２の不正な開放操作を防止することができるものであるが、符号錠５をクレセント錠という極めて限られたスペースに適用する必要があるため、従来、この種の符号錠に汎用されている符号錠を解錠するための符号の組み合わせを変更するための機構を設けることができず、このため、符号錠５を解錠するための符号の組み合わせを変更することができないという問題があった。
【００１８】
本発明は、上記従来のクレセント錠の有する問題点に鑑み、符号錠によってクレセント片の不正な開放操作を防止することができようにするとともに、その符号錠を解錠するための符号の組み合わせを変更することが可能なクレセント錠を提供することを第１の目的とする。
【００１９】
また、本発明は、クレセント片の掛止位置と解放位置に対応する２箇所で、符号錠を施錠することを可能にすることにより、不用意な締め出しを防止することができるようにしたクレセント錠を提供することを第２の目的とする。
【課題を解決するための手段】
【００２０】
上記第１の目的を達成するため、本発明のクレセント錠は、屋外側のサッシ枠に掛止金具を設けるとともに、屋内側のサッシ枠にクレセント片を回動可能に設け、クレセント片をその回動により掛止金具に掛止するようにしたクレセント錠のクレセント片を回動可能に支持する支軸部を屋内側サッシ枠に固設し、該支軸部に係合することによりクレセント片の回動を阻止するロック部材をクレセント片のレバーに摺動可能に配設するとともに、該ロック部材に係合しその摺動を選択的に阻止できるようにする符号錠をレバーに設けたクレセント錠において、符号錠のリングを、外周面に符号を付し、内周側に嵌合部を備えた外リングと、該外リングの嵌合部と嵌合する嵌合部及びロック部材との係合部を備えた内リングとで構成し、外リング及び内リングの嵌合部同士の嵌合状態を維持、解除する嵌合状態制御部材をレバーに設けたことを特徴とする。
【００２１】
この場合において、前記嵌合状態制御部材が、ピン部材からなり、該ピン部材を抜くことにより、内リングを軸方向に動作可能にするように構成することができる。
【００２２】
また、上記第２の目的を達成するため、本発明のクレセント錠は、前記ロック部材を、支軸部側に付勢して摺動可能に配設され、該支軸部のクレセント片の掛止位置と解放位置に対応する２箇所に形成されたキー溝に係合するピンと、該ピンに一端が係合し、他端を支軸部側に押圧することによりピンを反支軸部側に移動させるカムと、反支軸部側に付勢して摺動可能に配設され、符号錠が係合するとともに、支軸部側に摺動することによりカムの他端を押圧する操作片とを備えて構成したことを特徴とする。
【発明の効果】
【００２３】
本発明のクレセント錠によれば、外リングの嵌合部と嵌合する嵌合部及びロック部材との係合部を備えた内リングとで構成し、外リング及び内リングの嵌合部同士の嵌合状態を維持、解除する嵌合状態制御部材をレバーに設けるようにすることにより、符号錠によってクレセント片の不正な開放操作を防止することができようにするとともに、外リング及び内リングの嵌合部同士の嵌合状態を維持、解除する嵌合状態制御部材を操作することによって、符号錠を解錠するための符号の組み合わせを変更することができ、安全性の高いクレセント錠を提供することができる。
【００２４】
また、前記嵌合状態制御部材が、ピン部材からなり、該ピン部材を抜くことにより、内リングを軸方向に動作可能にするように構成することにより、簡易で操作の容易な機構によって、符号錠を解錠するための符号の組み合わせを変更することを可能にすることができる。
【００２５】
また、本発明のクレセント錠によれば、前記ロック部材を、支軸部側に付勢して摺動可能に配設され、該支軸部のクレセント片の掛止位置と解放位置に対応する２箇所に形成されたキー溝に係合するピンと、該ピンに一端が係合し、他端を支軸部側に押圧することによりピンを反支軸部側に移動させるカムと、反支軸部側に付勢して摺動可能に配設され、符号錠が係合するとともに、支軸部側に摺動することによりカムの他端を押圧する操作片とを備えて構成することにより、クレセント片の掛止位置と解放位置に対応する２箇所で、符号錠を施錠することが可能となり、クレセント片の解放位置に対応する箇所で符号錠を施錠することにより、不用意な締め出しを防止することができる。
【図面の簡単な説明】
【００２６】
【図１】従来のクレセント錠の一例を示し、（ａ）は施錠をする際の断面図、（ｂ）は解錠する際の断面図（図２のＡ−Ａ断面図）である。
【図２】同クレセント錠のクレセント片の外観図である。
【図３】本発明のクレセント錠の一実施例を示し、（ａ）は外リング及び内リングの嵌合部同士の嵌合状態を維持した状態を示す断面図、（ｂ）は外リング及び内リングの嵌合部同士の嵌合状態を解除した状態を示す断面図である。
【図４】同クレセント錠を示し、（ａ）は外リング及び内リングの嵌合部同士の嵌合状態を維持した状態を示す横断面図、（ｂ）は外リング及び内リングの嵌合部同士の嵌合状態を解除した状態を示す横断面図である。
【図５】同クレセント錠のクレセント片のレバーを示し、（ａ）は平面部、（ｂ）は正面図、（ｃ）は断面図、（ｄ）は左側面図である。
【図６】同クレセント錠を示し、（ａ１）は外リングの断面図、（ａ２）は同右側面図、（ｂ１）は内リングの断面図、（ｂ２）は同左側面図、（ｂ３）は同右側面図、（ｃ１）はカムの正面図、（ｃ２）は同左側面図、（ｃ３）は同右側面図、（ｄ１）は外リング及び内リングの嵌合部同士の嵌合状態を維持した状態を示す断面図、（ｄ２）は外リング及び内リングの嵌合部同士の嵌合状態を解除した状態を示す横断面図である。
【図７】同クレセント錠の分解斜視図である。
【発明を実施するための形態】
【００２７】
以下、本発明のクレセント錠の実施の形態を、図面に基づいて説明する。
【実施例１】
【００２８】
図３〜図７に、本発明のクレセント錠の一実施例を示す。
このクレセント錠は、図１〜図２の従来のクレセント錠と同様に、屋外側のサッシ枠に掛止金具（図示省略）を設けるとともに、屋内側のサッシ枠にクレセント片２を回動可能に設け、クレセント片２をその回動により掛止金具に掛止するようにしたもので、クレセント片２を回動可能に支持する支軸部３を屋内側サッシ枠に固設し、支軸部３に係合することによりクレセント片２の回動を阻止するロック部材４をクレセント片２のレバー２１の内部に摺動可能に配設するとともに、ロック部材４に係合しその摺動を阻止する符号錠５を前記レバー２１に設けている。
【００２９】
掛止金具は、図では省略しているが、例えば、屋外側のサッシ枠に形成した舌片状の通常一般のものからなり、クレセント片２の鍔部２３が掛合する。
【００３０】
クレセント片２は、屋内側のサッシ枠に、固定台座１を介して、固定台座１に配設した支軸部３によって回動可能かつ非分離状態に枢着（枢着機構は図示省略）されており、側方に張り出した鍔部２３が掛止金具に掛止されるとともに、鍔部を切り欠いた位置に回転することにより掛止金具を解放する。
クレセント片２は、その回動中心となるボス部２２と、ボス部２２から一体に延設された中空のレバー２１とを備えている。
【００３１】
支軸部３は、クレセント片２のボス部２２が回動可能に外嵌する円筒状のものからなり、固定台座１に配設されている。
この支軸部３の外周部には、後述するロック部材４のピン４１が嵌合するスプライン３１としてのキー溝が、クレセント片２の掛止位置と解放位置に対応する２箇所に形成されている。
なお、スプライン３１は、建付条件によって掛止角度が変わることがあるため、支軸部３の全周に設けることもできる。
この場合、ロック部材４のピン４１は支軸部側に付勢されているため、このスプライン３１に自動的に嵌合しようとするが、クレセント片２を回動させるときは、後述する操作片４３を押し込むことによりピン４１を後退させながらレバー２１を操作するので、ピン４１がスプライン３１に噛み込むことはない。
【００３２】
ところで、支軸部３の外周部に、ロック部材４のピン４１が嵌合するスプライン３１としてのキー溝を、クレセント片２の掛止位置と解放位置に対応する２箇所に形成することにより、クレセント片２の掛止位置と解放位置に対応する２箇所で、後述する符号錠５を施錠することが可能となる。
【００３３】
ロック部材４は、支軸部側に付勢して摺動可能に配設され、支軸部３に係合するピン４１と、ピン４１に一端が係合し、他端を支軸部側に押圧することによりピン４１を反支軸部側に移動させるカム４２と、反支軸部側に付勢されて摺動可能に配設され、符号錠５が係合するとともに、支軸部側に摺動することによりカム４２の他端を押圧する操作片４３と、カム４２を介して操作片４３を反支軸部側に付勢するばね４４とを備えている。
ピン４１は、ボス部２２に設けられた貫通部を介して支軸部３のスプライン３１に係合するもので、胴部に形成された切欠部４１ａにカム４２の一端が係合している。
カム４２は、レバー２１に設けた支軸２１ａに揺動可能に支持されている。このカム４２は、一端がピン４１の切欠部４１ａに係合するとともに、他端が操作片４３と対向するように配設され、その反対面をばね４４により付勢されるようにしている。
操作片４３は、レバー２１内部で外側に偏倚してカム４２の他端と対向する押し片４５と、押し片４５から内側に偏倚してレバー２１の先端部から突出する操作片本体４６と、操作片本体４６に突設した符号錠５が係合するキーとなるロック片４７とを一体に備えている。
また、操作片本体４６は、レバー２１に固定された規制部材４８によりその摺動範囲が規制されている。
【００３４】
符号錠５は、操作片４３に嵌挿されるとともにレバー２１の外側に一部が突出する複数のリング５１を備え、各リング５１は、ロック片４７と一致するキー溝５１ａを嵌挿孔の一部に備えている。
そして、各リング５１を回転させて符号を揃えることにより、キー溝５１ａをロック片４７と一致させ、ロック片４７を解放することによって操作片４３を支軸部側に摺動可能に解放する。
【００３５】
そして、符号錠５のリング５１を、外周面に符号を付し、内周側に嵌合部を備えた外リング５１Ａと、外リング５１Ａの嵌合部５２ａと嵌合する嵌合部５２ｂ及びロック部材４のロック片４７との係合部としてのキー溝５１ａを備えた内リング５１Ｂとで構成し、外リング５１Ａ及び内リング５１Ｂの嵌合部５２ａ、５２ｂ同士の嵌合状態を維持、解除する嵌合状態制御部材６をレバー２１に設けるようにすることにより、符号錠５を解錠するための符号の組み合わせを変更することができるようにしている。
【００３６】
ここで、嵌合状態制御部材６は、図４に示すように、ピン部材からなり、このピン部材をレバー２１に形成したピン部材挿入孔２１ｂから抜くことにより、内リング５１Ｂを軸方向に動作可能にするように構成するようにしている。
また、嵌合状態制御部材６を構成するピン部材には、抜け止めとなる突起６１を設け、突起６１がレバー２１に形成したガイド溝２１ｃ内を移動するようにすることにより、図４（ｂ）に示すように、操作具６２によって外部から操作したときに、レバー２１に形成したピン部材挿入孔２１ｂから離脱しないようにしている。
なお、操作具６２によって外部から操作することにより抜かれたピン部材は、反対側から押し込むことによって、外リング５１Ａ及び内リング５１Ｂの嵌合部５２ａ、５２ｂ同士の嵌合状態を維持する状態に復帰させることができる。
【００３７】
また、各リング５１の内リング５１Ｂには、操作片４３の操作片本体４６に配設した突起４６ａ（本実施例においては、ばね４６ｂにより付勢される突起片で構成するようにしている。）と係合する係合溝５１ｂを形成する。
これにより、符号錠５のリング５１を回転操作する際の位置決め（リング５１が所定位置に来たときに回転抵抗が変化する。）と、リング５１の係止を確実に行うことができる。
【００３８】
次に、このクレセント錠の作用を説明する。
図３（ａ）に示すように、クレセント片２が掛止金具に掛止する位置で、支軸部側に付勢されたロック部材４のピン４１が、支軸部３のスプライン３１に嵌合することにより、クレセント片２の回動は阻止されている。
そして、符号錠５のリング５１を符号が揃わない位置に回転させることにより、リング５１が操作片４３の摺動を阻止して、ピン４１の嵌合状態を保持し、これにより、不法者によって窓ガラス等が破られた場合でも、クレセント片２の開放操作を防止することができる。
一方、居住者が符号錠５のリング５１を合わせて操作片４３を解放すると、操作片４３を支軸部側に押し込むことができ、これにより、操作片４３がカム４２を介してピン４１を引き抜き方向に摺動させ、支軸部３から離脱させる。
このように、操作片４３を押し込んだ状態でレバー２１を操作すると、クレセント片２を回転させることができ、これにより、クレセント片２を掛止金具から離脱させることができる。
【００３９】
このようにして、符号錠５によりロック部材４を介してクレセント片２をロックすることができ、これにより、不法者によって窓ガラス等が破られた場合でも、クレセント片２の開放操作を防止することができる。
また、居住者が解錠するときは、符号錠５の符号を合わせることによりロック部材４を解放し、この状態でレバー２１を操作してクレセント片を回転させることにより、クレセント片２を掛止金具から容易に離脱させることができる。
そして、クレセント片２をロックするために符号錠５を用いるようにしているため、不正な解錠を効果的に防止しながら、鍵の紛失等の問題がなく、使用勝手のよいクレセント錠を提供することができる。
【００４０】
この場合、ロック部材４を、支軸部側に付勢して摺動可能に配設され、支軸部３に係合するピン４１と、ピン４１に一端が係合し、他端を支軸部側に押圧することによりピン４１を反支軸部側に移動させるカム４２と、反支軸部側に付勢して摺動可能に配設され、符号錠５が係合するとともに、支軸部側に摺動することによりカム４２の他端を押圧する操作片４３とを備えて構成することにより、符号錠５の符号を合わせて解放した操作片４３を支軸部側に押し込むことによって、カム４２を介してピン４１を支軸部３から離脱させることができ、この状態でレバー２１を操作することにより、クレセント片２を掛止金具から容易に離脱させることができる。
【００４１】
また、各リング５１の符号間に、操作片４３の操作片本体４６に配設した突起４６ａと係合する係合溝５１ｂを形成することにより、符号錠５のリング５１を回転操作する際の位置決め（リング５１が所定位置に来たときに回転抵抗が変化する。）と、リング５１の係止を確実に行うことができる。
【００４２】
さらに、このクレセント錠によれば、符号錠５のリング５１を、外周面に符号を付し、内周側に嵌合部を備えた外リング５１Ａと、外リング５１Ａの嵌合部５２ａと嵌合する嵌合部５２ｂ及びロック部材４のロック片４７との係合部としてのキー溝５１ａを備えた内リング５１Ｂとで構成し、外リング５１Ａ及び内リング５１Ｂの嵌合部５２ａ、５２ｂ同士の嵌合状態を維持、解除する嵌合状態制御部材６をレバー２１に設けるようにすることにより、図３及び図４に示すように、符号錠５のリング５１を合わせて操作片４３を解放した状態で、嵌合状態制御部材６を操作することによって、外リング５１Ａ及び内リング５１Ｂの嵌合部５２ａ、５２ｂ同士の嵌合状態を解除することで、ロック部材４のロック片４７と係合することで拘束されている内リング５１Ｂに対して、外リング５１Ａを回転させた後、嵌合状態制御部材６を操作することによって、外リング５１Ａ及び内リング５１Ｂの嵌合部５２ａ、５２ｂ同士の嵌合状態にすることで、符号錠５を解錠するための符号の組み合わせを変更することができ、安全性の高いクレセント錠を提供することができる。
【００４３】
この場合、嵌合状態制御部材６を、ピン部材からなり、このピン部材を抜くことにより、内リング５１Ｂを軸方向に動作可能にするように構成することにより、簡易で操作の容易な機構によって、符号錠５を解錠するための符号の組み合わせを変更することを可能にすることができる。
【００４４】
また、支軸部３の外周部に、ロック部材４のピン４１が嵌合するスプライン３１としてのキー溝を、クレセント片２の掛止位置と解放位置に対応する２箇所に形成することにより、クレセント片２の掛止位置と解放位置に対応する２箇所で、後述する符号錠５を施錠することが可能となり、クレセント片２の解放位置に対応する箇所で符号錠５を施錠することにより、不用意な締め出しを防止することができる。
【００４５】
以上、本発明のクレセント錠について、その実施例に基づいて説明したが、本発明は上記実施例に記載した構成に限定されるものではなく、その趣旨を逸脱しない範囲において適宜その構成を変更することができる。
【産業上の利用可能性】
【００４６】
本発明のクレセント錠は、符号錠によってクレセント片の不正な開放操作を防止することができようにするとともに、その符号錠を解錠するための符号の組み合わせを変更することが可能であることから、防犯性が要求されるクレセント錠の用途に好適に用いることができるほか、一般のクレセント錠の用途にも用いることができる。
【符号の説明】
【００４７】
１    固定台座
２    クレセント片
２１  レバー
２２  ボス部
２３  鍔部
３    支軸部
３１  スプライン（キー溝）
４    ロック部材
４１  ピン
４２  カム
４３  操作片
４４  ばね
４５  押し片
４６  操作片本体
４６ａ  突起（係合部）
４７  ロック片
４７ａ  キー
４８  規制部材
５    符号錠
５１  リング
５１Ａ  外リング
５１Ｂ  内リング
５１ａ  キー溝
５１ｂ  係合溝（係合部）
５２ａ  嵌合部
５２ｂ  嵌合部
６  嵌合状態制御部材
【図１】
2015108215.tif 000003
【図２】
2015108215.tif 000004
【図３】
2015108215.tif 000005
【図４】
2015108215.tif 000006
【図５】
2015108215.tif 000007
【図６】
2015108215.tif 000008
【図７】
2015108215.tif 000009